(57)【要約】      （修正有）【課題】清掃又は研磨し易く、使い勝手を向上させた刃物反転装置を提供する。【解決手段】刃物反転装置Ｍは、本体１０と、この本体１０に回動自在に取り付けられたアーム１１と、刃物１をアーム１１に固定する固定手段１２と、本体１０に設けられ、水平状態のアーム１１を載置する第１の載置部と、本体１０に設けられ、水平状態のアーム１１に固定された刃物１を載置する第２の載置部１４と、第１の載置部に載置されたアーム１１を１８０°回動する回動手段１５とを備え、回動手段１５により第１の載置部に載置されたアーム１１を１８０°回動して、アーム１１に固定された刃物１を第２の載置部１４に載置するものである。【選択図】図１
0003230174.tif 000002
【実用新案登録請求の範囲】
【請求項１】
本体と、
この本体に回動自在に取り付けられたアームと、
刃物を前記アームに固定する固定手段と、
前記本体に設けられ、水平状態の前記アームを載置する第１の載置部と、
前記本体に設けられ、水平状態の前記アームに固定された前記刃物を載置する第２の載置部と、
前記第１の載置部に載置された前記アームを１８０°回動する回動手段とを備え、  
前記回動手段により前記第１の載置部に載置された前記アームを１８０°回動して、前記アームに固定された前記刃物を第２の載置部に載置する
ことを特徴とする刃物反転装置。
【請求項２】
刃物を取り付けたナイフストックを載置する第１の載置部を有する本体と、
この本体に回動自在に取り付けられたアームと、
前記ナイフストックから前記刃物の固定を解除された前記刃物を水平状態の前記アームに固定する固定手段と、
前記本体に設けられ、水平状態の前記アームに固定された前記刃物を載置する第２の載置部と、
前記アームを１８０°回動する回動手段とを備え、  
前記回動手段により前記アームを１８０°回動して、前記アームに固定された前記刃物を第２の載置部に載置する
ことを特徴とする刃物反転装置。
【請求項３】
回動手段は、ハンドルと、本体に回転自在に支持されると共に、前記ハンドルに接続された第１の軸と、この第１の軸に設けられたウォームと、アームに接続され、前記ウォームに係合するウォームホイールを取り付けた第２の軸とを備え、
前記第２の軸にアームが取り付けられている
ことを特徴とする請求項１又は請求項２記載の刃物反転装置。
【請求項４】
刃物は、木工用スライサー又は鉋盤に使用する刃であり、
前記刃を取り付けたアームを第１の載置部に載置したとき、清掃又は研磨の対象である前記刃の一方の面が上面を向くように位置し、
回動手段により１８０°回動させて前記刃を第２の載置部に載置したとき、前記刃の一方の面と反対側の他方の面が上面を向くように位置する
ことを特徴とする請求項１又は請求項２記載の刃物反転装置。
【考案の詳細な説明】
【技術分野】
【０００１】
本考案は、刃物反転装置に係り、特に、使用勝手を向上させた刃物反転装置に関する。
【背景技術】
【０００２】
従来、刃物、例えば、木工用スライサーにあっては、使用により木工用スライサーの刃が摩耗する。
そのため、木工用スライサーから、刃を取り外し、図示しない治具等に取り付け、木工用スライサーの刃先を研磨し、研磨後、図示しない治具等から刃を取り外し、刃を二人で持って反転させて、図示しない治具等に取り付け、木工用スライサーの刃の背を研磨するようにしている。
【考案の概要】
【考案が解決しようとする課題】
【０００３】
上記にあっては、木工用スライサーの刃は、重い上に、刃先が鋭角で危険であるため、使用勝手が良くないという問題点が生じた。
【０００４】
本考案は、上記の問題点を考慮してなされた刃物反転装置を提供することにある。
【課題を解決するための手段】
【０００５】
請求項１記載の刃物反転装置は、本体と、この本体に回動自在に取り付けられたアームと、刃物を前記アームに固定する固定手段と、前記本体に設けられ、水平状態の前記アームを載置する第１の載置部と、前記本体に設けられ、水平状態の前記アームに固定された前記刃物を載置する第２の載置部と、前記第１の載置部に載置された前記アームを１８０°回動する回動手段とを備え、
前記回動手段により前記第１の載置部に載置された前記アームを１８０°回動して、前記アームに固定された前記刃物を第２の載置部に載置するものである。
【０００６】
また、請求項２記載の刃物反転装置は、請求項１記載の刃物反転装置において、刃物を取り付けたナイフストックを載置する第１の載置部を有する本体と、この本体に回動自在に取り付けられたアームと、前記ナイフストックから前記刃物の固定を解除された前記刃物を水平状態の前記アームに固定する固定手段と、前記本体に設けられ、水平状態の前記アームに固定された前記刃物を載置する第２の載置部と、前記アームを１８０°回動する回動手段とを備え、前記回動手段により前記アームを１８０°回動して、前記アームに固定された前記刃物を第２の載置部に載置するものである。
【０００７】
また、請求項３記載の刃物反転装置は、請求項１又は請求項２記載の刃物反転装置において、回動手段は、ハンドルと、本体に回転自在に支持されると共に、前記ハンドルに接続された第１の軸と、この第１の軸に設けられたウォームと、アームに接続され、前記ウォームに係合するウォームホイールを取り付けた第２の軸とを備え、前記第２の軸にアームが取り付けられているものである。
【０００８】
また、請求項４記載の刃物反転装置は、請求項１又は請求項２記載の刃物反転装置において、刃物は、木工用スライサー又は鉋盤に使用する刃であり、前記刃を取り付けたアームを第１の載置部に載置したとき、清掃又は研磨の対象である前記刃の一方の面が上面を向くように位置し、回動手段により１８０°回動させて前記刃を第２の載置部に載置したとき、前記刃の一方の面と反対側の他方の面が上面を向くように位置するものである。
【考案の効果】
【０００９】
請求項１記載の刃物反転装置によれば、刃物を固定手段によりアームに固定し、アームに当接する刃物の反対側の刃物の一方の面を清掃又は研磨した後、アームに取り付けられた刃物を取り外し、取り付けることなく、回動手段により、１８０°回動させることができるため、清掃又は研磨していない他方の面（他方の面は、一方の面と反対側の面）を上面に簡易且つ迅速に位置させて清掃又は研磨し易くして、使用勝手を向上させることができる。
【００１０】
また、請求項２記載の刃物反転装置によれば、回動手段によりアームを１８０°回動して、前記アームに固定された刃物を第２の載置部に載置するため、清掃又は研磨していない面を上面に簡易且つ迅速に位置させて清掃又は研磨し易くして、使用勝手を向上させることができる。
【００１１】
また、請求項３記載の刃物反転装置によれば、上述した請求項１又は請求項２記載の考案の効果に加え、ハンドル操作により、アームに取り付けられた刃物を取り外し、取り付けることなく、回動手段により、180°回動させることができるため、清掃又は研磨していない面を上面に簡易且つ迅速に位置させて清掃又は研磨し易くして、使用勝手を向上させることができる。
【００１２】
また、請求項４記載の刃物反転装置によれば、上述した請求項１又は請求項２記載の考案の効果に加え、刃を固定手段によりアームに固定し、刃の一方の面を清掃又は研磨した後、アームに取り付けられた刃を取り外し、取り付けることなく、回動手段により、１８０°回動させることができるため、清掃又は研磨していない一方の面と反対側の他方の面を上面に簡易且つ迅速に位置させて清掃又は研磨しやすいようにでき、使用勝手を向上させることができる。
【図面の簡単な説明】
【００１３】
【図１】図１は、本考案の一実施例の刃物反転装置の概略的斜視図である。
【図２】図２は、図１の概略的右側面である。
【図３】図３は、アームの回動状態の概略的図であり、図３（ａ）は、アームが第１の載置部に載置した状態の概略的図であり、図３（ｂ）は、図３（ａ）のアームが第１の載置部から第２の載置部に回動途中の概略的図であり、図３（ｃ）は、図３（ｂ）のアームが第２の載置部に載置した状態の概略的図である。
【図４】図４は、図１の刃物反転装置と異なる他の実施例の刃物反転装置の概略的右側面である。
【図５】図５は、図４のアームが第１の載置部から第２の載置部に回動途中の概略的右側面である。
【図６】図６は、図５のアームが第２の載置部に載置した状態の概略的右側面である。
【考案を実施するための形態】
【００１４】
本考案の一実施例の刃物反転装置を図１乃至図３を参照して説明す
【００１５】
図１に示すＭは刃物反転装置で、刃物反転装置Ｍは、本体１０を有している。
この本体１０には、本体１０に回動自在に取り付けられたアーム１１と、刃物１をアーム１１に固定する固定手段１２と、本体１０に設けられ、水平状態のアーム１１を載置する第１の載置部１３と、本体１０に設けられ、水平状態のアーム１１に固定された刃物１を載置する第２の載置部１４と、第１の載置部１３に載置されたアーム１１を１８０°回動する回動手段１５とを備えている。刃物１は、例えば、木工用スライサー又は鉋盤に使用する刃である。
なお、固定手段１２は、例えば、ネジ１２Ａを刃物１に設けた座ぐり穴１Ａ（座ぐり穴１Ａは、ネジ頭部を材料に埋め込むための穴）を介してアーム１１に設けた図示しない雌ネジに螺合させて、刃物１をアーム１１に固定している。
【００１６】
そして、回動手段１５により第１の載置部１３に載置されたアーム１１を１８０°回動して、アーム１１に固定された刃物１を第２の載置部１４に載置することができる［図３（ａ）（ｂ）（ｃ）参照］。
回動手段１５は、例えば、ハンドル１５Ａと、本体１０に回転自在に支持されると共に、ハンドル１５Ａに接続された第１の軸１５Ｂと、この第１の軸１５Ｂに設けられたウォーム１５Ｃと、アーム１１に接続され、ウォーム１５Ｃに係合するウォームホイール１５Ｄを取り付けた第２の軸１５Ｅとを備えているものである。そして、第２の軸１５Ｅにアーム１１が取り付けられている。
例えば、刃物１をアーム１１に固定した状態で、ハンドル１５Ａを回転させると、ウォーム１５Ｃ、ウォームホイール１５Ｄ、第２の軸１５Ｅが回転し、第１の載置部１３に載置されたアーム１１を１８０°回動して、アーム１１に固定された刃物１を第２の載置部１４に載置することができる。
【００１７】
上述した刃物反転装置Ｍによれば、刃物１を固定手段１５によりアーム１１に固定し、アーム１１に当接する刃物１の反対側の刃物の一方の面（例えば、刃先１ａの面）を清掃又は研磨した後、アーム１１に取り付けられた刃物１を取り外し、取り付けることなく、回動手段１５により、180°回動させることができるため、清掃又は研磨していない他方の面（他方の面は、一方の面１ａと反対側の面１ｂ）を上面に簡易且つ迅速に位置させて清掃又は研磨し易くして、使用勝手を向上させることができる。
なお、本願考案にあってはこれに限らず、図示しないが、逆に構成しても良い。
即ち、刃物１を取り付けたアーム１１を第１の載置部１３に載置したとき、刃物１の清掃又は研磨の対象である刃物１の反対側の面１ｂが上面を向くように位置して、面１ｂを清掃又は研磨した後、刃物１を回動手段１５により１８０°回動させて刃物１を第２の載置部１４に載置したとき、刃物１の清掃又は研磨の対象である一方の面１ａが上面を向くように位置するようにして、一方の面１ａを清掃又は研磨することができる。
【００１８】
次に、図４乃至図６を参照して、図１乃至図３記載の刃物反転装置Ｍと異なる他の実施例の刃物反転装置Ｍを説明する。
【００１９】
即ち、刃物反転装置Ｍは、刃物１を取り付けたナイフストック２０を載置する第１の載置部１３を有する本体１０を有している。ナイフストック２０は、例えば、特公平２−２７９２４記載の鉋盤のナイフストック２、実公平５−４７６０４記載のスライサーのナイフストック１０等である。
【００２０】
本体１０には、本体１０に回動自在に取り付けられたアーム１１と、ナイフストック２０から刃物１の固定を解除された刃物１を水平状態のアーム１１に固定する固定手段１２と、本体１０に設けられ、水平状態のアーム１１に固定され刃物１を載置する第２の載置部１４と、アーム１１を１８０°回動する回動手段１５とを備えている。刃物１は、例えば、木工用スライサー又は鉋盤に使用する刃である。
なお、「ナイフストック２０から刃物１の固定を解除され」とは、具体的には、刃物１をナイフストック２０に固定する図示しないボルトを外すことであり、この刃物１を固定手段１２により水平状態のアーム１１に固定する。固定手段１２は、ネジ１２Ａを刃物１に設けた図示しない座ぐり穴に設けた図示しない雌ネジに螺合させて、刃物１をアーム１１に固定している。
【００２１】
そして、回動手段１５によりアーム１１を１８０°回動して、アーム１１に固定された刃物１を第２の載置部１４に載置する。
回動手段１５は、上述の実施例と同様、例えば、ハンドル１５Ａと、本体１０に回転自在に支持されると共に、ハンドル１５Ａに接続された第１の軸１５Ｂと、この第１の軸１５Ｂに設けられたウォーム（図示せず）と、アーム１１に接続され、ウォーム１５Ｃに係合するウォームホイール（図示せず）を取り付けた第２の軸１５Ｅとを備えているものである。そして、第２の軸１５Ｅにアーム１１が取り付けられている。
例えば、刃物１をアーム１１に固定した状態で、ハンドル１５Ａを回転させると、ウォーム（図示せず）、ウォームホイール（図示せず）、第２の軸１５Ｅが回転し、第１の載置部１３に載置されたアーム１１を１８０°回動して、アーム１１に固定された刃物１を第２の載置部１４に載置することができる。
【００２２】
上述した刃物反転装置Ｍによれば、回動手段１５によりアーム１１を１８０°回動して、アーム１１に固定された刃物１を第２の載置部１４に載置するため、清掃又は研磨していない面１ａを上面に簡易且つ迅速に位置させて清掃又は研磨し易くして、使用勝手を向上させることができる。
【符号の説明】
【００２３】
Ｍ       刃物反転装置
１       刃物
１０     本体
１１     アーム
１２     固定手段
１３     第１の載置部
１４     第２の載置部
１５     回動手段
【図１】
0003230174.tif 000003
【図２】
0003230174.tif 000004
【図３】
0003230174.tif 000005
【図４】
0003230174.tif 000006
【図５】
0003230174.tif 000007
【図６】
0003230174.tif 000008
【手続補正書】
【提出日】令和2年10月30日(2020.10.30)
【手続補正１】
【補正対象書類名】実用新案登録請求の範囲
【補正対象項目名】請求項３
【補正方法】変更
【補正の内容】
【請求項３】
前記回動手段は、ハンドルと、前記本体に回転自在に支持されると共に、前
記ハンドルに接続された第１の軸と、この第１の軸に設けられたウォームと、前
記アームに接続され、前記ウォームに係合するウォームホイールを取り付けた第
２の軸とを備え、
前記第２の軸に前記アームが取り付けられている
ことを特徴とする請求項１又は請求項２記載の刃物反転装置。
【手続補正２】
【補正対象書類名】実用新案登録請求の範囲
【補正対象項目名】請求項４
【補正方法】変更
【補正の内容】
【請求項４】
前記刃物は、木工用スライサー又は鉋盤に使用する刃であり、
前記刃を取り付けた前記アームを前記第１の載置部に載置したとき、清掃又
は研磨の対象である前記刃の一方の面が上面を向くように位置し、
前記回動手段により１８０°回動させて前記刃を前記第２の載置部に載置し
たとき、前記刃の一方の面と反対側の他方の面が上面を向くように位置する
ことを特徴とする請求項１又は請求項２記載の刃物反転装置。
【手続補正３】
【補正対象書類名】明細書
【補正対象項目名】０００７
【補正方法】変更
【補正の内容】
【０００７】
また、請求項３記載の刃物反転装置は、請求項１又は請求項２記載の刃物反転装置に
おいて、前記回動手段は、ハンドルと、前記本体に回転自在に支持されると共に、前記ハ
ンドルに接続された第１の軸と、この第１の軸に設けられたウォームと、前記アームに接
続され、前記ウォームに係合するウォームホイールを取り付けた第２の軸とを備え、前記
第２の軸に前記アームが取り付けられているものである。
【手続補正４】
【補正対象書類名】明細書
【補正対象項目名】０００８
【補正方法】変更
【補正の内容】
【０００８】
また、請求項４記載の刃物反転装置は、請求項１又は請求項２記載の刃物反転装置に
おいて、前記刃物は、木工用スライサー又は鉋盤に使用する刃であり、前記刃を取り付け
た前記アームを前記第１の載置部に載置したとき、清掃又は研磨の対象である前記刃の一
方の面が上面を向くように位置し、前記回動手段により１８０°回動させて前記刃を前記
第２の載置部に載置したとき、前記刃の一方の面と反対側の他方の面が上面を向くように
位置するものである。